(57)【要約】【課題】カラー通信での差別化。【解決手段】カラー情報を通信可能なファクシミリ装置において、メモリに受信した情報を次宛先に送信する手段、前手順にて、色空間ＬａｂでのＪＰＥＧ符号化情報、色空間Ｌａｂでのフルカラー情報、色空間ｓＹＣＣでのＪＰＥＧ符号化情報、色空間ｓＹＣＣでのフルカラー情報の送信を決定する手段、ファイル情報を送信する手段を有し、メモリ受信したカラー情報の色空間により、次宛先への送信制御を変更する。メモリ受信したカラー情報の色空間がＬａｂであれば、次宛先への送信時、必要に応じて、受信情報を変換して送信する。メモリ受信したカラー情報の色空間がｓＹＣＣであれば、次宛先への送信時、受信情報を変換せずに送信する。【選択図】　　　　図１
2004147148.tif 000002
【特許請求の範囲】
【請求項１】
カラー情報を通信可能なファクシミリ装置において、メモリに受信した情報を次宛先に送信する手段、前手順にて、受信機から送信機に、色空間ＬａｂでのＪＰＥＧ符号化情報の受信機能の有無を通知する手段、色空間Ｌａｂでのフルカラー情報の受信機能の有無を通知する手段、色空間ｓＹＣＣでのＪＰＥＧ符号化情報の受信機能の有無を通知する手段、色空間ｓＹＣＣでのフルカラー情報の受信機能の有無を通知する手段、一方、送信機から受信機に、色空間ＬａｂでのＪＰＥＧ符号化情報の送信を指定する手段、色空間Ｌａｂでのフルカラー情報の送信を指定する手段、色空間ｓＹＣＣでのＪＰＥＧ符号化情報の送信を指定する手段、色空間ｓＹＣＣでのフルカラー情報の送信を指定する手段、ファイル情報を送信する手段を有し、メモリ受信したカラー情報の色空間により、次宛先への送信制御を変更する事を特徴とするファクシミリ装置。
【請求項２】
請求項１のファクシミリ装置において、メモリ受信したカラー情報の色空間がＬａｂであれば、次宛先への送信時、必要に応じて、受信情報を変換して送信する事を特徴とするファクシミリ装置。
【請求項３】
請求項２のファクシミリ装置において、次宛先への転送時は、メモリ受信した情報、及び、次宛先の受信能力により、受信情報の変換を決定する事を特徴とするファクシミリ装置。
【請求項４】
請求項１のファクシミリ装置において、メモリ受信したカラー情報の色空間がｓＹＣＣであれば、次宛先への送信時、受信情報を変換せずに送信する事を特徴とするファクシミリ装置。
【請求項５】
請求項４のファクシミリ装置において、次宛先への転送時は、メモリ受信した情報の送信が不可能な時には、次宛先への送信を中止する事を特徴とするファクシミリ装置。
【請求項６】
カラー情報を通信可能なファクシミリ通信方法において、メモリに受信した情報を次宛先に送信する手段、前手順にて、受信機から送信機に、色空間ＬａｂでのＪＰＥＧ符号化情報の受信機能の有無を通知する手段、色空間Ｌａｂでのフルカラー情報の受信機能の有無を通知する手段、色空間ｓＹＣＣでのＪＰＥＧ符号化情報の受信機能の有無を通知する手段、色空間ｓＹＣＣでのフルカラー情報の受信機能の有無を通知する手段、一方、送信機から受信機に、色空間ＬａｂでのＪＰＥＧ符号化情報の送信を指定する手段、色空間Ｌａｂでのフルカラー情報の送信を指定する手段、色空間ｓＹＣＣでのＪＰＥＧ符号化情報の送信を指定する手段、色空間ｓＹＣＣでのフルカラー情報の送信を指定する手段、ファイル情報を送信する手段を有し、メモリ受信したカラー情報の色空間により、次宛先への送信制御を変更する事を特徴とするファクシミリ通信方法。
【請求項７】
請求項６のファクシミリ通信方法において、メモリ受信したカラー情報の色空間がＬａｂであれば、次宛先への送信時、必要に応じて、受信情報を変換して送信する事を特徴とするファクシミリ通信方法。
【請求項８】
請求項７のファクシミリ通信方法において、次宛先への転送時は、メモリ受信した情報、及び、次宛先の受信能力により、受信情報の変換を決定する事を特徴とするファクシミリ通信方法。
【請求項９】
請求項６のファクシミリ通信方法において、メモリ受信したカラー情報の色空間がｓＹＣＣであれば、次宛先への送信時、受信情報を変換せずに送信する事を特徴とするファクシミリ通信方法。
【請求項１０】
請求項９のファクシミリ通信方法において、次宛先への転送時は、メモリ受信した情報の送信が不可能な時には、次宛先への送信を中止する事を特徴とするファクシミリ通信方法。
【発明の詳細な説明】
【０００１】
【発明の属する技術分野】
本発明は、ファクシミリ装置、特に、メモリ受信した情報を次宛先に送信可能なファクシミリ装置に関するものである。
【０００２】
【従来の技術】
従来のファクシミリ装置は、メモリ受信した情報の転送、あるいは、中継同報が指定されると、受信した情報を、次に送る宛先へ発呼して、メモリ受信した情報の送信を実行していた。ここでは、メモリ受信した情報は、相手の受信能力にあわせて、必要に応じて、変換して送信していた。
【０００３】
【発明が解決しようとする課題】
上記、従来例においては、メモリ受信した情報は、必ず、次宛先に送信できるというメリットがあるものの、変換しないで、次宛先に送信したい情報も変換して、次宛先に送信してしまうという欠点があった。ここで、ユーザがある情報は、メモリ受信したものを次宛先へ情報変換無く送信できる場合のみ送信したいと考えてもこれができないという欠点があった。
【０００４】
【課題を解決するための手段】
第１の本発明によれば、カラー情報を通信可能なファクシミリ装置において、メモリに受信した情報を次宛先に送信する手段、前手順にて、受信機から送信機に、色空間ＬａｂでのＪＰＥＧ符号化情報の受信機能の有無を通知する手段、色空間Ｌａｂでのフルカラー情報の受信機能の有無を通知する手段、色空間ｓＹＣＣでのＪＰＥＧ符号化情報の受信機能の有無を通知する手段、色空間ｓＹＣＣでのフルカラー情報の受信機能の有無を通知する手段、一方、送信機から受信機に、色空間ＬａｂでのＪＰＥＧ符号化情報の送信を指定する手段、色空間Ｌａｂでのフルカラー情報の送信を指定する手段、色空間ｓＹＣＣでのＪＰＥＧ符号化情報の送信を指定する手段、色空間ｓＹＣＣでのフルカラー情報の送信を指定する手段、ファイル情報を送信する手段を有し、メモリ受信したカラー情報の色空間により、次宛先への送信制御を変更する事が可能になった。第２の本発明によれば、第１の本発明のファクシミリ装置において、メモリ受信したカラー情報の色空間がＬａｂであれば、次宛先への送信時、必要に応じて、受信情報を変換して送信する事が可能になった。第３の本発明によれば、第２の本発明のファクシミリ装置において、次宛先への転送時は、メモリ受信した情報、及び、次宛先の受信能力により、受信情報の変換を決定する事が可能になった。第４の本発明によれば、第１の本発明のファクシミリ装置において、メモリ受信したカラー情報の色空間がｓＹＣＣであれば、次宛先への送信時、受信情報を変換せずに送信する事が可能になった。第５の本発明によれば、第４の本発明のファクシミリ装置において、次宛先への転送時は、メモリ受信した情報の送信が不可能な時には、次宛先への送信を中止する事が可能になった。
【０００５】
これらにより、メモリ受信した情報の転送、あるいは、中継同報が指定されると、受信した情報を、次に送る宛先へ発呼して、メモリ受信した情報の送信を実行するが、メモリ受信したカラー情報の色空間がＬａｂであれば、次宛先への送信時、次宛先への転送時メモリ受信した情報、及び、次宛先の受信能力により、必要に応じて、受信情報を変換して送信でき、一方、メモリ受信したカラー情報の色空間がｓＹＣＣであれば、次宛先への送信時、受信情報を変換せずに送信し、メモリ受信した情報の送信が不可能な時には、次宛先への送信を中止する事が可能になり、例えば、メモリ受信した情報をそのまま次宛先に送信したいデジカメ等で撮影した色空間ｓＹＣＣの情報は、そのまま送信しないと意味が無く、さらに、通信費がかかってしまう事を未然に防げとても使いやすくなった。
【０００６】
第６から第１０の発明は、第１から第５のファクシミリ装置の発明をファクシミリ通信方法にしたものである。
【０００７】
【発明の実施の形態】
（実施例１）
以下、図面に示す実施の形態に基づいて、本発明を詳細に説明する。
【０００８】
図１には、本発明の実施の形態であるファクシミリ装置がブロック図として図示されている。
【０００９】
２は、ＮＣＵ（網制御装置）で、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御により、電話回線２ａを電話機側に接続（ＣＭＬオフ）したり、電話回線２ａをファクシミリ装置側に接続（ＣＭＬオン）するものである。なお、通常状態では、電話回線２ａは、電話機４側に接続されている。
【００１０】
４は、電話機である。
【００１１】
６は、ハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で復調器８に送るものである。
【００１２】
８は、変復調器であり、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行う変復調器であり、バス２６の制御により、各伝送モードが指定される。８は、バス２６からの送信信号を入力し、変調データを信号線８ａに出力し、信号線６ａに出力されている受信信号を入力し、復調データをバス２６に出力する。
【００１３】
１０は、発呼回路であり、バス２６からの信号により、電話番号情報を入力し、信号線１０ａにＤＴＭＦの選択信号を出力する。
【００１４】
１２は、加算回路であり、信号線８ａの情報と信号線１０ａの情報を入力し、加算した結果を信号線１２ａに出力する。
【００１５】
１４は、カラー読み取り可能な読取回路であり、読み取りデータをバス２６に出力する。
【００１６】
１６は、カラー記録可能な記録回路であり、バス２６に出力されている情報を順次１ライン毎に記録する。
【００１７】
１８は、メモリ回路であり、ワーク用のメモリ（ＲＡＭ）、さらに、読み取りデータの生情報、あるいは、符号化した情報を格納したり、また、受信情報、あるいは、復号化した情報等をバス２６を介して格納するために使用する。
【００１８】
ここで、受信したサブアドレス信号に対応して、通信制御は記憶するメモリされている。例えば、サブアドレス信号０１２３を受信すると受信情報は、メモリへ受信し、宛先Ａ（電話番号０３−３１１１−１１１１）、及び、宛先Ｂ（電話番号０３−３１１１−２２２２）へ受信情報を転送する。
【００１９】
図３には、上記のメモリが図示されている。
【００２０】
２０は、操作部であり、ワンタッチダイヤル、短縮ダイヤル、テンキー、＊キー、＃キー、スタートキー、ストップキー、セットキー、ファイル情報の送信を選択するキー、その他のファンクションキーがあり、押下されたキー情報はバス２６に出力される。
【００２１】
操作部には、表示部があり、バス２６に出力されている情報を入力し、表示する。
【００２２】
２２は、ＣＰＵ（中央処理装置）であり、ファクシミリ全体の制御をしたり、ファクシミリ伝送制御手順を実行するが、その制御プログラムは、ＲＯＭ２４に格納される。
【００２３】
２６は、バスである。
【００２４】
２８は、カードインターフェイスであり、３０のカード（例えば、デジタルカメラで撮影した情報が記憶されているコンパクトフラッシュ（登録商標）カード）がセットされる。
【００２５】
図２には、本発明により、カラー関連のビット情報、さらに、新規にＩＴＵ−Ｔ勧告Ｔ．３０に追加する情報が図示されている。
【００２６】
ＤＩＳ／ＤＴＣ信号のＦＩＦの６８ビットにより、色空間ＬａｂでのＪＰＥＧ受信機能の有無を通知し、ＤＣＳ信号のＦＩＦの６８ビットにより、色空間ＬａｂでのＪＰＥＧ送信を指定をする。
【００２７】
また、ＤＩＳ／ＤＴＣ信号のＦＩＦの６９ビットにより、色空間はＬａｂであるフルカラー受信機能の有無を通知し、ＤＣＳ信号のＦＩＦの６９ビットにより、色空間はＬａｂであるフルカラー送信を指定をする。
【００２８】
ＤＩＳ／ＤＴＣ信号のＦＩＦのＸビットにより、色空間ｓＹＣＣでのＪＰＥＧ受信機能の有無を通知し、ＤＣＳ信号のＦＩＦのＸビットにより、色空間ｓＹＣＣでのＪＰＥＧ送信を指定をする。
【００２９】
また、ＤＩＳ／ＤＴＣ信号のＦＩＦのＸ＋１ビットにより、色空間はｓＹＣＣであるフルカラー受信機能の有無を通知し、ＤＣＳ信号のＦＩＦのＸ＋１ビットにより、色空間はｓＹＣＣであるフルカラー送信を指定をする。
【００３０】
２４は、カラー情報を通信可能なファクシミリ装置において、メモリに受信した情報を次宛先に送信する手段、前手順にて、受信機から送信機に、色空間ＬａｂでのＪＰＥＧ符号化情報の受信機能の有無を通知する手段、色空間Ｌａｂでのフルカラー情報の受信機能の有無を通知する手段、色空間ｓＹＣＣでのＪＰＥＧ符号化情報の受信機能の有無を通知する手段、色空間ｓＹＣＣでのフルカラー情報の受信機能の有無を通知する手段、一方、送信機から受信機に、色空間ＬａｂでのＪＰＥＧ符号化情報の送信を指定する手段、色空間Ｌａｂでのフルカラー情報の送信を指定する手段、色空間ｓＹＣＣでのＪＰＥＧ符号化情報の送信を指定する手段、色空間ｓＹＣＣでのフルカラー情報の送信を指定する手段、ファイル情報を送信する手段を有し、メモリ受信したカラー情報の色空間により、次宛先への送信制御を変更する。
【００３１】
具体的には、メモリ受信したカラー情報の色空間がＬａｂであれば、次宛先への送信時、必要に応じて、受信情報を変換して送信する。ここで、次宛先への転送時は、メモリ受信した情報、及び、次宛先の受信能力により、受信情報の変換を決定する。
【００３２】
一方、メモリ受信したカラー情報の色空間がｓＹＣＣであれば、次宛先への送信時、受信情報を変換せずに送信する。ここで、次宛先への転送時は、メモリ受信した情報の送信が不可能な時には、次宛先への送信を中止する。
【００３３】
以上の制御プログラムが格納されている。
【００３４】
図４、５、６には、図１の制御の流れ図が図示されている。
【００３５】
図４において、Ｓ０は、始めを表している。
【００３６】
Ｓ２は、バス２６を介して、メモリ１８をイニシャライズする事を表している。
【００３７】
Ｓ４は、バス２６を介して、操作部の表示部をクリアする事を表している。
【００３８】
Ｓ６では、バス２６を介してＮＣＵ２のＣＭＬをオフする。
【００３９】
Ｓ８では、ファクシミリ受信が選択されたか否かが判断されＹＥＳであるとＳ１２に進み、ＮＯであるとＳ１０に進み、その他の処理をする。
【００４０】
Ｓ１２では、バス２６を介して、ＮＣＵ２のＣＭＬをオンする。
【００４１】
Ｓ１４は前手順を表している。ここで、ＤＩＳ信号のＦＩＦの６８、６９、Ｘ、Ｘ＋１、４９（サブアドレス信号の受信機能の有無）ビットは１とする。
【００４２】
Ｓ１６では、サブアドレス信号を受信したか否かが判断され、ＹＥＳであるとＳ１８に進み、ＮＯであるとＳ８４に進む。
【００４３】
Ｓ１８では、サブアドレス信号は０１２３であるか否かが判断され、ＹＥＳであるとＳ２２に進み、ＮＯであるとＳ２０に進み、受信したサブアドレス信号に基づいた受信処理をする。
【００４４】
Ｓ２２では、ＤＣＳ信号のＦＩＦのＸ、Ｘ＋１ビットはともに１であるか否かが判断され、ＹＥＳであるとＳ２４に進み、ＮＯであるとＳ７８に進む。
【００４５】
Ｓ２４は、色空間ｓＹＣＣのＪＰＥＧフルカラー情報のメモリ受信、コンパクトフラッシュ（登録商標）カードへの格納を表している。
【００４６】
Ｓ２６は、後手順を表している。
【００４７】
Ｓ２８では、バス２６を介してＮＣＵ２のＣＭＬをオフする。
【００４８】
Ｓ３０では、５０秒ウェイトする。
【００４９】
Ｓ３２では、バス２６を介してＮＣＵ２のＣＭＬをオンする。
【００５０】
Ｓ３４では、バス２６を介して発呼回路により、宛先Ａへ発呼する。
【００５１】
Ｓ３６では、色空間ｓＹＣＣのフルカラー情報の転送であるか否かが判断され、ＹＥＳであるとＳ３８に進み、ＮＯであるとＳ６０に進む。
【００５２】
Ｓ３８は、前手順を実行する。
【００５３】
Ｓ４０では、ＤＩＳ信号のＦＩＦのＸ、Ｘ＋１ビットはともに１であるか否かが判断され、ＹＥＳであるとＳ４４に進み、ＮＯであるとＳ４２に進み、この通信を中断する。
【００５４】
Ｓ４４は、残りの前手順を実行する。ここで、ＤＣＳ信号のＦＩＦのＸ、Ｘ＋１ビットを１にする。
【００５５】
Ｓ４６は、メモリ受信した色空間ｓＹＣＣのフルカラー情報をそのまま送信する事を表している。
【００５６】
Ｓ４８は、後手順を表している。
【００５７】
Ｓ５０では、バス２６を介してＮＣＵ２のＣＭＬをオフする。
【００５８】
Ｓ５２は、宛先Ｂへの発呼が終了したか否かが判断され、ＹＥＳであるとＳ６に進み、ＮＯであるとＳ５４に進む。
【００５９】
Ｓ５４では、５０秒ウェイトする。
【００６０】
Ｓ５６では、バス２６を介してＮＣＵ２のＣＭＬをオンする。
【００６１】
Ｓ５８では、バス２６を介して発呼回路により、宛先Ｂへ発呼する。
【００６２】
Ｓ６０では、色空間Ｌａｂのフルカラー情報の転送であるか否かが判断され、ＹＥＳであるとＳ６２に進み、ＮＯであるとＳ７４に進む。
【００６３】
Ｓ６２は、前手順を実行する。
【００６４】
Ｓ６４では、ＤＩＳ信号のＦＩＦの６８、６９ビットはともに１であるか否かが判断され、ＹＥＳであるとＳ６６に進み、ＮＯであるとＳ７０に進む。
【００６５】
Ｓ６６は、残りの前手順を実行する。ここで、ＤＣＳ信号のＦＩＦの６８、６９ビットを１にする。
【００６６】
Ｓ６８は、メモリ受信した色空間Ｌａｂのフルカラー情報を必要に応じて変倍し、色空間Ｌａｂのフルカラー情報を送信する事を表している。
【００６７】
Ｓ７０は、残りの前手順を実行する。ここで、ＤＣＳ信号のＦＩＦの６８、６９、Ｘ、Ｘ＋１ビットは全て０にする。
【００６８】
Ｓ７２は、メモリ受信した色空間Ｌａｂのフルカラー情報をモノクロ情報に変換し、必要に応じて変倍して送信する事を表している。
【００６９】
Ｓ７４は、残りの前手順を実行する。ここで、ＤＣＳ信号のＦＩＦの６８、６９、Ｘ、Ｘ＋１ビットは全て０にする。
【００７０】
Ｓ７６は、メモリ受信したモノクロ情報を必要に応じて変倍して送信する事を表している。
【００７１】
Ｓ７８では、ＤＣＳ信号のＦＩＦの６８、６９ビットはともに１であるか否かが判断され、ＹＥＳであるとＳ８０に進み、ＮＯであるとＳ８２に進む。
【００７２】
Ｓ８０は、色空間Ｌａｂのフルカラー情報をメモリ受信し、記録する事を表している。
【００７３】
Ｓ８２は、モノクロ情報をメモリ受信し、記録する事を表している。
【００７４】
Ｓ８４では、ＤＣＳ信号のＦＩＦのＸ、Ｘ＋１ビットはともに１であるか否かが判断され、ＹＥＳであるとＳ８６に進み、ＮＯであるとＳ９０に進む。
【００７５】
Ｓ８６は、色空間ｓＹＣＣのフルカラー情報を受信し、コンパクトフラッシュ（登録商標）カードに格納する事を表している。
【００７６】
Ｓ８８は、後手順を表している。
【００７７】
Ｓ９０では、ＤＣＳ信号のＦＩＦの６８、６９ビットはともに１であるか否かが判断され、ＹＥＳであるとＳ９２に進み、ＮＯであるとＳ９４に進む。
【００７８】
Ｓ９２は、色空間Ｌａｂのフルカラー情報を受信し、記録する事を表している。
【００７９】
Ｓ９４は、モノクロ情報を受信し、記録する事を表している。
【００８０】
【発明の効果】
第１、２、３、４、５の本発明によれば、メモリ受信した情報の転送、あるいは、中継同報が指定されると、受信した情報を、次に送る宛先へ発呼して、メモリ受信した情報の送信を実行するが、メモリ受信したカラー情報の色空間がＬａｂであれば、次宛先への送信時、次宛先への転送時メモリ受信した情報、及び、次宛先の受信能力により、必要に応じて、受信情報を変換して送信でき、一方、メモリ受信したカラー情報の色空間がｓＹＣＣであれば、次宛先への送信時、受信情報を変換せずに送信し、メモリ受信した情報の送信が不可能な時には、次宛先への送信を中止する事が可能になり、例えば、メモリ受信した情報をそのまま次宛先に送信したいデジカメ等で撮影した色空間ｓＹＣＣの情報は、そのまま送信しないと意味が無く、さらに、通信費がかかってしまう事を未然に防げとても使いやすくなった。
【００８１】
第６から第１０の発明は、第１から第５のファクシミリ装置の発明をファクシミリ通信方法にしたものである。
【図面の簡単な説明】
【図１】本発明によるファクシミリ装置の実施例のブロック図
【図２】本発明によるＤＩＳ／ＤＴＣ、ＤＣＳ信号のＦＩＦ情報の具体例
【図３】メモリ１８の具体例
【図４】本発明による制御の流れ図
【図５】本発明による制御の流れ図
【図６】本発明による制御の流れ図
【図７】本発明による制御の流れ図
【図８】本発明による制御の流れ図
【図９】本発明による制御の流れ図
【符号の説明】
２　ＮＣＵ
４　電話機
６　ハイブリッド回路
８　変復調器
１０　発呼回路
１２　加算回路
１４　読み取り回路
１６　記録回路
１８　メモリ回路
２０　操作部
２２　ＣＰＵ
２４　ＲＯＭ
２６　バス
２８　カードインターフェイス
３０　コンパクトフラッシュ（登録商標）カード
【図１】
2004147148.tif 000003
【図２】
2004147148.tif 000004
【図３】
2004147148.tif 000005
【図４】
2004147148.tif 000006
【図５】
2004147148.tif 000007
【図６】
2004147148.tif 000008
【図７】
2004147148.tif 000009
【図８】
2004147148.tif 000010
【図９】
2004147148.tif 000011